(57)【特許請求の範囲】
【請求項１】
ベース及び前記ベースを覆うカバーからなり、且つ装置給気口及び装置排気口が設置されたハウジングと、
前記ハウジングの内部に並べて設置され、それぞれ前記装置給気口に向うファン給気口及び前記装置排気口に向うファン排気口を有する複数のファンと、
導風カバーと、
を備えてなるファン放熱装置であって、
前記ハウジングの前記各々のファン排気口に隣接する位置にはそれぞれ1つの減音排気口が設置され、
前記ベースは、底板と、該底板に直交して前記底板の長手方向の両側から上に向かって延在する２つの側板と、前記底板に直交して前記底板の短手方向の両側から別々に上に向かって延在する前板及び後板と、を備え、前記後板に前記装置給気口が開設され、前記前板に前記装置排気口が開設され、
前記カバーに前記減音排気口が開設され、前記各々の減音排気口は、一字状に配列される複数の貫通孔を備え、前記複数の貫通孔の配列方向は、前記前板及び前記後板に平行であり、
前記導風カバーは、前記ファン排気口と前記装置排気口との間に位置し、前記導風カバーの一端は前記ファン排気口に隣接し、前記導風カバーの上板における前記ファン排気口に近い一端にはスロットが設置され、
前記複数のファンは、前記装置給気口と前記減音排気口との間に位置することを特徴とするファン放熱装置。
【請求項２】
前記底板にも前記減音排気口が開設され、前記底板の減音排気口は、前記カバーの減音排気口に対応することを特徴とする請求項１に記載のファン放熱装置。
【請求項３】
前記減音排気口から排出される気流の流動方向は、前記装置排気口から排出される気流の流動方向に直交することを特徴とする請求項１または２に記載のファン放熱装置。
【発明の詳細な説明】
【技術分野】
【０００１】
本発明は、ファン放熱装置に関するものである。
【背景技術】
【０００２】
騒音を防止するために、業界は音声品質規範を制定して各種の製品の音声品質を規範する。音声品質規範において、音量（Ｌｏｕｄｎｅｓｓ）、音調（Ｔｏｎａｌｉｔｙ）、および変調強度（ＭｏｄｕｌａｔｉｏｎｓＳｔｒｅｎｇｔｈ）は、全て重要な指標である。
【０００３】
コンピュータのような電子装置において、通常ファンを設置して放熱する。ファンは、空気を流動させて放熱する一方、気動騒音を生じるため、人体に悪い影響をもたらす。特に、変調強度は、気動騒音を影響する主要な指標である。
【発明の概要】
【発明が解決しようとする課題】
【０００４】
本発明の目的は、前記課題を解決し、気動騒音を減少するファン放熱装置を提供することである。
【課題を解決するための手段】
【０００５】
本発明に係るファン放熱装置は、ベース及び前記ベースを覆うカバーからなり、且つ装置給気口及び装置排気口が設置されたハウジングと、前記ハウジングの内部に並べて設置され、それぞれ前記装置給気口に向うファン給気口及び前記装置排気口に向うファン排気口を有する複数のファンと、導風カバーと、を備え、前記ハウジングの前記各々のファン排気口に隣接する位置にはそれぞれ1つの減音排気口が設置され、前記ベースは、底板と、該底板に直交して前記底板の長手方向の両側から上に向かって延在する２つの側板と、前記底板に直交して前記底板の短手方向の両側から別々に上に向かって延在する前板及び後板と、を備え、前記後板に前記装置給気口が開設され、前記前板に前記装置排気口が開設され、前記カバーに前記減音排気口が開設され、前記各々の減音排気口は、一字状に配列される複数の貫通孔を備え、前記複数の貫通孔の配列方向は、前記前板及び前記後板に平行であり、前記導風カバーは、前記ファン排気口と前記装置排気口との間に位置し、前記導風カバーの一端は前記ファン排気口に隣接し、前記導風カバーの上板における前記ファン排気口に近い一端にはスロットが設置され、前記複数のファンは、前記装置給気口と前記減音排気口との間に位置する。
【発明の効果】
【０００６】
従来の技術と比べると、本発明のハウジングに減音排気口が設置されているため、ファン排気口の気圧変化を減少することができ、従って気動騒音を減少する目的に達する。
【図面の簡単な説明】
【０００７】
【図１】本発明の第一実施形態に係るファン放熱装置の立体図である。
【図２】図１に示すファン放熱装置の立体分解図である。
【図３】本発明の第二実施形態に係るファン放熱装置の立体分解図である。
【図４】本発明の第三実施形態に係るファン放熱装置の立体分解図である。
【発明を実施するための形態】
【０００８】
以下、図面を参照して、本発明の実施形態について説明する。
【０００９】
図１及び図２を参照すると、本発明の第一実施形態に係るファン放熱装置１０は、ハウジング２０及び該ハウジング２０の内部に装着される３つのファン７０を備える。
【００１０】
前記ハウジング２０は、ベース３０及び該ベース３０を覆うカバー５０からなる。前記ベース３０は、底板３１と、前記底板３１の長手方向の両側から上に向かって直交して延在する２つの側板３３と、前記底板３１の短手方向の両側から別々に上に向かって直交して延在する前板３５及び後板３７と、を備える。前記後板３７には、装置給気口３７０を形成するための複数の貫通孔が開設されている。前記前板３５には、装置排気口３５０を形成するための複数の貫通孔が開設されている。前記底板３１には、３つの減音排気口３１０が設置される。各々の減音排気口３１０は、前記底板３１に開設される五つの円形の貫通孔３１１を備える。前記五つの円形の貫通孔３１１は、一字状に配列され、且つその配列方向は前記前板３５及び前記後板３７に平行する。前記カバー５０は、前記底板３１に対向して設置される。前記カバー５０にも３つの減音排気口５００が設置される。各々の減音排気口５００は、一字状に配列される五つの円形の貫通孔５０１を備える。前記ベース３０が前記カバー５０に覆われると、前記底板３１における前記３つの減音排気口５００の投影は、ちょうど前記３つの減音排気口３１０に一致する。
【００１１】
前記ファン７０は、対向して設置されるファン給気口７１及びファン排気口７３を備える。前記ファン７０は、前記減音排気口３１０と前記装置給気口３７０との間に位置し、前記ファン給気口７１は前記装置給気口３７０に向かい、前記ファン排気口７３は前記装置排気口３５０に向かう。前記３つのファン７０の３つのファン排気口７３は、別々に前記３つの減音排気口３１０に隣接して設置される。
【００１２】
前記ファン放熱装置１０を組み立ててから使用する場合、前記ファン７０を運転させる。前記ファン７０が運転されると、気流は前記装置給気口３７０から前記ファン放熱装置１０の内部に入る。前記気流は、前記底板３１に平行するように流動し、且つ順次に前記ファン給気口７１及び前記ファン排気口７３を流れてから、前記装置排気口３５０から排出される。前記気流の流動過程において、一部分の気流は前記減音排気口３１０、５００から前記底板３１に直交する方向に沿って排出される。
【００１３】
前記ファン７０が運転している場合、前記ファン放熱装置１０の内部気圧は、前記装置給気口３７０から前記装置排気口３５０に向って次第に小さくなる。空気は、気圧が小さくなる方向に沿って流動するため、気流を生じる。前記ファン排気口７３の気圧変化が最も大きいので、気動騒音を引き起こす主要原因となる。前記ファン放熱装置１０に前記減音排気口３１０、５００を設置して、前記ファン排気口７３の気流の一部分を前記ファン放熱装置１０の外部に排気することにより、前記ファン排気口７３の気圧変化を減少し、従って気動騒音を減少する。
【００１４】
他の実施形態において、前記ファン７０の数量は、実際需要によって適当に調整することができる。前記減音排気口３１０、５００の貫通孔３１１、５０１の形状、数量及び配列方式も実際需要によって調整することができる。
【００１５】
図３に示されるように、本発明の第二実施形態に係るファン放熱装置１０Ａは、その底板３１Ａに減音排気口を設置しておらず、ただカバー５０Ａのみに減音排気口５００Ａを設置する。他の実施形態において、カバー５０Ａに減音排気口を設置することなく、ただ底板３１Ａのみに減音排気口を設置することができる。
【００１６】
図４に示されるように、本発明の第三実施形態に係るファン放熱装置１０Ｂは、その底板３１Ｂに導風カバー９０Ｂを設置して、放熱効果を強める。前記導風カバー９０Ｂは、ファン排気口と装置排気口との間に位置し、前記ファン排気口からの気流を前記装置排気口にガイドする。前記導風カバー９０Ｂの一端は、ファン７０Ｂのファン排気口に隣接する。カバー５０Ｂの減音排気口５００Ｂの作用を発揮させるために、前記導風カバー９０Ｂの上板９１Ｂにおける前記ファン７０Ｂのファン排気口に近い一端にスロット９１０Ｂを設置する。一部分の気流は、前記スロット９１０Ｂから前記減音排気口５００Ｂに到着して排出される。
【００１７】
前記減音排気口３１０、５００、５００Ａ、５００Ｂを設置することにより、変調強度（変動騒音と安定騒音との比であり、単位は％である）を平均的に約９％下げることができ、従って前記ファン放熱装置１０、１０Ａ、１０Ｂの音声品質を大幅に改善する。
【００１８】
前記減音排気口３１０、５００、５００Ａ、５００Ｂを設置することにより、音量を２．２ｄＢ（ｄｅｃｉｂｅｌ）ほど下げ、音調を０．０３Ｔｕ（ｔｏｎａｌｉｔｙｕｎｉｔ）ほど下げることにより、前記ファン放熱装置１０、１０Ａ、１０Ｂの音声品質をさらに改善する。
【００１９】
以上本発明を実施例に基づいて具体的に説明したが、本発明は、上述の実施例に限定されるものではなく、その要旨を逸脱しない範囲において、種種変更可能であることは勿論であって、本発明の技術的範囲は、以下の特許請求の範囲から決まる。
【符号の説明】
【００２０】
１０，１０Ａ，１０Ｂ  ファン放熱装置
２０  ハウジング
３０  ベース
３１，３１Ａ，３１Ｂ  底板
３３  側板
３５  前板
３７  後板
５０，５０Ａ，５０Ｂ  カバー
７０  ファン
７１  ファン給気口
７３  ファン排気口
９０Ｂ  導風カバー
３１０，５００，５００Ａ，５００Ｂ  減音排気口
３１１，５０１  貫通孔
３５０  装置排気口
３７０  装置給気口
９１０Ｂ  スロット
【図１】
0005520742.tif 000002
【図２】
0005520742.tif 000003
【図３】
0005520742.tif 000004
【図４】
0005520742.tif 000005